(57)【要約】【課題】端子金具のノイズ除去性能を向上させるとともに該端子金具の針状端子ごとにノイズ除去性能を適宜変更可能とし、かつ、フェライトコアの寸法と段数との組み合わせに対応したジョイントコネクタを提供する。【解決手段】ジョイントコネクタ１は、ノイズを除去するフェライトコア１０が設けられる端子金具３と、前記端子金具３が収容されるコネクタハウジング２と、を備える。前記端子金具３は、バスバ２８と、前記バスバ２８の長手方向に対して略直交する方向に延長されて設けられているとともに該バスバ２８の前記長手方向に互いに間隔をあけて設けられている複数本の針状端子部２９と、を備え、前記コネクタハウジング２には、前記複数本の針状端子部２９のそれぞれに設けられる前記フェライトコア１０が収容可能に形成されたフェライト収容室２１，３６が設けられ、かつ、前記フェライト収容室２１，３６が、前記複数本の針状端子部２９のそれぞれに沿って複数段で設けられている。【選択図】図２
2013025914.tif 000002
【特許請求の範囲】
【請求項１】
ノイズを除去するフェライトコアが設けられる端子金具と、前記端子金具が収容されるコネクタハウジングと、を備えたジョイントコネクタにおいて、
前記端子金具は、バスバと、前記バスバの長手方向に対して略直交する方向に延長されて設けられているとともに該バスバの前記長手方向に互いに間隔をあけて設けられている複数本の針状端子部と、を備え、
前記コネクタハウジングには、前記複数本の針状端子部のそれぞれに設けられる前記フェライトコアが収容可能に形成されたフェライト収容室が設けられ、かつ、
前記フェライト収容室が、前記複数本の針状端子部のそれぞれに沿って複数段で設けられていることを特徴とするジョイントコネクタ。
【請求項２】
前記複数本の針状端子部のそれぞれには、ノイズ除去性能に応じて、前記フェライトコアが一段または二段で設けられていることを特徴とする請求項１に記載のジョイントコネクタ。
【請求項３】
前記コネクタハウジングは、前記バスバが嵌入されて固定される第一インナハウジングと、前記複数本の針状端子部に挿通される第二インナハウジングと、前記第一インナハウジングと前記第二インナハウジングとを収容するアウタハウジングと、を備え、
前記フェライトコアは、第一フェライトコアと、第二フェライトコアと、を備え、
前記第一インナハウジングには、前記第一フェライトコアを収容可能に形成された第一フェライト収容室が設けられ、かつ、
前記第二インナハウジングには、前記第二フェライトコアを収容可能に形成された第二フェライト収容室が設けられていることを特徴とする請求項１または請求項２に記載のジョイントコネクタ。
【請求項４】
前記フェライトコアが、ノイズ除去性能に応じて複数の寸法に形成されていることを特徴とする請求項１ないし請求項３のいずれか一項に記載のジョイントコネクタ。
【発明の詳細な説明】
【技術分野】
【０００１】
本発明は、ジョイントコネクタに関する。
【背景技術】
【０００２】
自動車には、ＣＡＮ（Ｃｏｎｔｒｏｌ  Ａｒｅａ  Ｎｅｔｗｏｒｋ）通信によって、制動装置やエンジンなどの状態、車両速度や故障診断等の情報を転送するためのワイヤハーネスが配索されている。この種のワイヤハーネスは、複数のサブハーネスが電気的に接続されている。サブハーネスには、回路の分岐などを行うジョイントコネクタが設けられている。
【０００３】
ジョイントコネクタは、前述したＣＡＮ通信によって前記自動車に搭載された各種電装品を制御しており、ノイズの輻射などの信号伝送に及ぼす悪影響を軽減するために、信号に重畳されるノイズを除去するフェライトが設けられている（例えば、特許文献１参照。）。
【０００４】
特許文献１に示されたジョイントコネクタは、一方に開口部が設けられて他のコネクタと嵌合されるコネクタハウジングと、前記コネクタハウジングの開口部から嵌入されて該コネクタハウジング内に固定される端子金具と、前記端子金具に設けられる一段のフェライトと、前記開口部から嵌入されて前記一段のフェライトを前記コネクタハウジング内に固定する固定具と、を備えている。前記端子金具には、前記他のコネクタの端子に電気的に接続される複数本の針状端子部が設けられている。
【先行技術文献】
【特許文献】
【０００５】
【特許文献１】特開２００８−２１８０３８号公報
【発明の概要】
【発明が解決しようとする課題】
【０００６】
前述した特許文献１に示された従来のジョイントコネクタは、一段のフェライトで端子金具のノイズを除去するため、ノイズ除去性能の向上には限度があるという問題があった。
【０００７】
また、従来のジョイントコネクタは、同じ寸法の一段のフェライトで端子金具のノイズを除去するため、複数本の針状端子部のそれぞれのノイズ除去性能を適宜変更することができないという問題があった。
【０００８】
また、従来のジョイントコネクタは、開口部から嵌入した固定具で一段のフェライトをコネクタハウジング内に固定するため、複数本の針状端子部に設けられるフェライトの寸法や段数を変更する場合には、寸法と段数の組み合わせ毎に専用の固定具を用意しなければならないという問題が生じる。このため、前述した特許文献１に示された従来のジョイントコネクタの構成では、フェライトの寸法と段数とを適宜変更することによって、ノイズ除去性能を向上させたり、複数本の針状端子部のそれぞれのノイズ除去性能を適宜変更したりすることができない。
【０００９】
本発明は、かかる問題を解決することを目的としている。即ち、本発明は、端子金具のノイズ除去性能を向上させるとともに該端子金具の針状端子ごとにノイズ除去性能を適宜変更可能とし、かつ、フェライトコアの寸法と段数との組み合わせに対応したジョイントコネクタを提供することを目的とする。
【課題を解決するための手段】
【００１０】
前記課題を解決し目的を達成するために、請求項１に記載された発明は、ノイズを除去するフェライトコアが設けられる端子金具と、前記端子金具が収容されるコネクタハウジングと、を備えたジョイントコネクタにおいて、前記端子金具は、バスバと、前記バスバの長手方向に対して略直交する方向に延長されて設けられているとともに該バスバの前記長手方向に互いに間隔をあけて設けられている複数本の針状端子部と、を備え、前記コネクタハウジングには、前記複数本の針状端子部のそれぞれに設けられる前記フェライトコアが収容可能に形成されたフェライト収容室が設けられ、かつ、前記フェライト収容室が、前記複数本の針状端子部のそれぞれに沿って複数段で設けられていることを特徴とするジョイントコネクタである。
【００１１】
請求項２に記載された発明は、前記複数本の針状端子部のそれぞれには、ノイズ除去性能に応じて、前記フェライトコアが一段または二段で設けられていることを特徴とする請求項１に記載のジョイントコネクタである。
【００１２】
請求項３に記載された発明は、前記コネクタハウジングは、前記バスバが嵌入されて固定される第一インナハウジングと、前記複数本の針状端子部に挿通される第二インナハウジングと、前記第一インナハウジングと前記第二インナハウジングとを収容するアウタハウジングと、を備え、前記フェライトコアは、第一フェライトコアと、第二フェライトコアと、を備え、前記第一インナハウジングには、前記第一フェライトコアを収容可能に形成された第一フェライト収容室が設けられ、かつ、前記第二インナハウジングには、前記第二フェライトコアを収容可能に形成された第二フェライト収容室が設けられていることを特徴とする請求項１または請求項２に記載のジョイントコネクタである。
【００１３】
請求項４に記載された発明は、前記フェライトコアが、複数の寸法に形成されていることを特徴とする請求項１ないし請求項３のいずれか一項に記載のジョイントコネクタである。
【発明の効果】
【００１４】
請求項１に記載された発明によれば、ジョイントコネクタは、針状端子部に複数段で設けられるフェライトコアが収容されるフェライト収容室を、コネクタハウジングに複数段で設けたため、複数段のフェライト収容室のそれぞれにフェライトコアを収容することによって、容易にノイズ除去性能を向上することができる。
【００１５】
また、ジョイントコネクタは、フェライト収容室をコネクタハウジングに複数段で設けたため、前記フェライト収容室に設けられるフェライトコアの個数を適宜変更することが可能となる。このため、複数本の針状端子部のそれぞれのノイズ除去性能を適宜変更することができる。
【００１６】
また、ジョイントコネクタは、前記フェライト収容室に設けられるフェライトコアの個数を適宜変更してノイズ除去性能を適宜変更することができるため、汎用品のフェライトコアを用いることができる。このため、ノイズ除去性能毎に多品種および少量生産の専用品のフェライトコアを使用していた従来のジョイントコネクタよりも安価とすることができる。
【００１７】
また、ジョイントコネクタは、フェライト収容室をコネクタハウジングに複数段で設けて、前記フェライト収容室に設けられるフェライトコアの個数を適宜変更可能としたため、ノイズ除去性能に応じて専用の固定具などが必要な従来のジョイントコネクタよりも安価とすることができる。
【００１８】
また、ジョイントコネクタは、フェライト収容室をコネクタハウジングに複数段で設けて、前記フェライト収容室に設けられるフェライトコアの個数を適宜変更可能としたため、組立工程を簡略化することができる。
【００１９】
また、ジョイントコネクタは、フェライト収容室をフェライトコアが収容可能に形成したため、ノイズ除去性能が不要な場合には、フェライトコアをフェライト収容室に収容しないという選択をすることができる。このため、ノイズ除去性能が不要な汎用品のジョイントコネクタとして用いることができる。
【００２０】
請求項２に記載された発明によれば、ジョイントコネクタは、ノイズ除去性能に応じてフェライトコアを一段または二段で複数本の針状端子部のそれぞれに設けたため、それぞれの針状端子部ごとにノイズ除去性能を適宜変更することができる。
【００２１】
請求項３に記載された発明によれば、ジョイントコネクタは、第一インナハウジングに端子金具を固定するとともに第一フェライトコアを収容可能とし、第二インナハウジングに第二フェライトコアを収容可能とし、前記第一インナハウジングと前記第二インナハウジングとをアウタハウジングに収容するため、ジョイントコネクタを構成する部材を変更することなく、第一フェライト収容室に第一フェライトコアを収容してフェライトコアを一段としたり、第二フェライト収容室に第二フェライトコアを収容してフェライトコアを一段としたり、第一フェライト収容室に第一フェライトコアを収容するとともに第二フェライト収容室に第二フェライトコアを収容してフェライトコアを二段としたりすることができる。よって、ジョイントコネクタの構成部材を変更することなく、針状端子部のノイズ除去性能を適宜変更することができる。
【００２２】
請求項４に記載された発明によれば、ジョイントコネクタは、複数の寸法に形成されたフェライトコアをフェライト収容室に収容することができるため、フェライトコアの段数と寸法との組み合わせを形成することができる。このため、同一寸法で形成されたフェライトコアの段数のみの組み合わせで形成されるノイズ除去性能よりも、幅広いノイズ除去性能を発揮することができる。
【図面の簡単な説明】
【００２３】
【図１】本発明の第一の実施形態にかかるジョイントコネクタの斜視図である。
【図２】図１に示されたジョイントコネクタのＩＩ−ＩＩ矢視断面図である。
【図３】図１に示されたジョイントコネクタの分解断面図である。
【図４】図１に示されたジョイントコネクタの組み立てを説明する斜視図である。
【図５】図１に示されたジョイントコネクタと他のコネクタとが連結される状態を説明する斜視図である。
【図６】本発明の第二の実施形態にかかるジョイントコネクタの断面図である。
【発明を実施するための形態】
【００２４】
以下、本発明の実施形態について、図１〜図６を参照して説明する。
（第一の実施形態）
本発明の第一の実施形態にかかるジョイントコネクタ１は、図１および図２に示すように、サブハーネス６１（図５に示す）の汎用コネクタ６２の端子に電気的に接続される端子金具３と、前記端子金具３を収容し且つ前記汎用コネクタ６２が押し込まれて嵌合されるコネクタハウジング２と、を備えている。
【００２５】
端子金具３は、図２および図３に示すように、導電性の板金から構成され、プレス加工等によって櫛形状に形成されている。端子金具３は、薄板状に形成されたバスバ２８と、前記バスバ２８から該バスバ２８の長手方向に対して直交する方向に延長された複数本（図示例では、６本）の針状端子部２９と、を備えている。端子金具３は、図４に示すように、該端子金具３の厚さ方向に設けられた複数枚（図示例では、２枚）の端子金具３ａと端子金具３ｂとからなる。端子金具３ａ，３ｂ同士は、互いに平行して配されている。
【００２６】
バスバ２８は、図２および図３に示すように、該バスバ２８の長手方向に沿って複数個（図示例では、１０個）の孔３１が等間隔で設けられている。バスバ２８には、該バスバ２８の長手方向の両端部に、後述する第一インナハウジング６のバスバ収容室１２の内壁面に係合する係合突起３２が設けられている。係合突起３２は、前記針状端子部２９側に向かって突出量が徐々に増加して形成されている。
【００２７】
針状端子部２９は、前記バスバ２８の長手方向に沿って等間隔で設けられているとともに、互いに平行して設けられている。針状端子部２９は、前述した汎用コネクタ６２の雌型端子に嵌入しやすいように、先端部２９ｃが先細形状に形成されている。針状端子部２９は、図１および図２に示すように、汎用コネクタ６２がコネクタハウジング２の嵌合部９に嵌合した際に、前記針状端子部２９が、前記汎用コネクタ６２の端子と電気的に接続される長さに形成されている。針状端子２９同士の間隔は、前記汎用コネクタ６２の端子の間隔に形成されている。
【００２８】
コネクタハウジング２は、図２および図３に示すように、前記端子金具３のバスバ２８を収容するバスバ収容室１２が形成された第一インナハウジング６と、前記第一インナハウジング６に並設される第二インナハウジング７と、前記第一インナハウジング６と前記第二インナハウジング７とを収容するアウタハウジング４と、を備えている。コネクタハウジング２は、ポリ塩化ビニル樹脂などの絶縁性の合成樹脂により形成されている。
【００２９】
なお、本実施形態は、第一インナハウジング６および第二インナハウジング７に、前記針状端子部２９に設けられるフェライトコア１０が収容可能に形成されたフェライト収容室２１，３６が二段で設けられているものを一例として示したものであって、三段のような複数段であっても良い。
【００３０】
第一インナハウジング６は、図３に示すように、バスバ収容室１２と、前記バスバ収容室１２に連通し且つ前記端子金具３の針状端子部２９の基端部２９ａ側に設けられるフェライトコア１０としての第一フェライトコア１０ａを収容可能に形成されたフェライト収容室としての複数（図示例では、６つ）の第一フェライト収容室２１と、アウタハウジング４に係合する抱持片４０と、を備えている。
【００３１】
バスバ収容室１２は、図２に示すように、前記端子金具３のバスバ２８の前記係合突起３２が係合する幅に形成され、前記端子金具３ａ，３ｂ同士が平行して収容される奥行きに形成されている。
【００３２】
第一フェライト収容室２１は、図２ないし図４に示すように、前記端子金具３の前記バスバ２８の長手方向に対して平行に複数（図示例では、６つ）設けられている。複数の第一フェライト収容室２１は、前記バスバ２８の長手方向に対して平行に等間隔で設けられている。第一フェライト収容室２１は、第一フェライトコア１０ａを収容する長方形状に形成されている。第一フェライト収容室２１の底面部には、前記端子金具３ａ，３ｂのそれぞれの針状端子部２９の各一本が挿通する挿通孔が設けられている。
【００３３】
抱持片４０は、図３および図４に示すように、前記第一インナハウジング６の長手方向の両端部の下端部から前記針状端子部２９の延長方向に沿って延長されて形成されている。抱持片４０は、前記下端部の両端からそれぞれ延長された腕部４０と、後述するアウタハウジング４の係止爪１４に係止される係止部４１と、を備えている。抱持片４０は、揺動可能に形成されている。このため、アウタハウジング４に係止された第一インナハウジング６の抱持片４０を工具等で操作して、前記アウタハウジング４と前記第一インナハウジング６とを分離可能としている。
【００３４】
第二インナハウジング７は、前記第一インナハウジング６の第一フェライト収容室２１に収容された第一フェライトコア１０ａのガタツキを防止する複数個（図示例では、６つ）の第一突出部２３と、前記第一突出部２３に連通し且つ前記端子金具３の前記針状端子部２９が挿通される複数（図示例では、６つ）の挿通孔２４と、前記挿通孔２４に連通し且つ前記針状端子部２９が貫通するとともに該針状端子部２９の中間部２９ｂ側に設けられるフェライトコア１０としての第二フェライトコア１０ｂを収容可能に形成されたフェライト収容室としての第二フェライト収容室３６と、を備えている。
【００３５】
第一突出部２３は、前記第一フェライト収容室２１に収容された第一フェライトコア１０ａに当接あるいは近接して該第一フェライトコア１０ａのガタツキを抑える突出量で形成されている。第一突出部２３は、前記端子金具３ａ，３ｂ同士のそれぞれの針状端子部２９の各一本が挿通される挿通孔２４の一端側が突出して形成されている。なお、第一突出部２３の突出量は、適宜調整しても良い。
【００３６】
挿通孔２４は、円形状に形成されるとともに前記端子金具３の前記針状端子部２９が挿通される直径に形成されている。挿通孔２４は、前記端子金具３ａ，３ｂ同士のそれぞれの針状端子部２９の各一本が貫通する。挿通孔２４は、図４に示すように、それぞれの第二フェライト収容室３６に二つ並んで開孔されている。
【００３７】
第二フェライト収容室３６は、図２および図３に示すように、前記端子金具３の前記バスバ２８の長手方向に対して平行に複数（図示例では、６つ）設けられている。第二フェライト収容室３６は、前記バスバ２８の長手方向に対して平行に等間隔で設けられている。それぞれの第二フェライト収容室３６は、図４に示すように、前記端子金具３ａ，３ｂ同士のそれぞれの針状端子部２９の各一本が貫通し且つ第二フェライトコア１０ｂを収容する長方形状に形成されている。
【００３８】
アウタハウジング４は、図２および図３に示すように、前述した汎用コネクタ６２と嵌合する嵌合部９と、前述した第一インナハウジング６と第二インナハウジング７とを収容するインナハウジング収容室３８と、前記第一インナハウジング６の抱持片４０に係止される係止爪１４と、を備えている。
【００３９】
嵌合部９は、図３および図４に示すように、長方形状の筒状に形成されており、内周面に、前述した汎用コネクタ６２を嵌合する際の取付方向を規定するガイド部１５が形成されている。嵌合部９には、前記汎用コネクタ６２に設けられた図示しない係合手段と係合する係合部が設けられている。
【００４０】
インナハウジング収容室３８は、前記第一インナハウジング６の抱持片４０と係止される係止爪１４が設けられて前記嵌合部９側から延長された延長片１３と、前記嵌合部９に連通されて前記端子金具３の針状端子部２９が挿通される挿通孔１８と、前記挿通孔１８の前記インナハウジング収容室３８側の一端から突出された第二突出部１７と、を備えている。
【００４１】
延長片１３は、前記嵌合部９側から前記第一インナハウジング６の抱持片４０に向かって延長して形成され、前記インナハウジング収容室３８の外側に突出する係止爪１４が設けられている。延長片１３は、先端部側にスリットが形成されており、揺動可能に形成されている。
【００４２】
挿通孔１８は、円形状に形成されるとともに前記端子金具３の針状端子部２９が挿通される直径に形成されている。挿通孔１８は、前記端子金具３ａ，３ｂ同士のそれぞれの針状端子部２９の各一本が挿通される。
【００４３】
第二突出部１７は、前記第二フェライト収容室３６に収容された第二フェライトコア１０ｂに当接あるいは近接して該第二フェライトコア１０ｂのガタツキを抑える突出量で形成されている。第二突出部１７は、前記端子金具３ａ，３ｂ同士のそれぞれの針状端子部２９の各一本が挿通される前記挿通孔１８の一端側が突出して形成されている。なお、第二突出部２３の突出量は、適宜調整しても良い。
【００４４】
係止爪１４は、前記延長片１３の先端部に向かって徐々に突出量が減少して形成されている。係止爪１４は、図５に示すように、前記抱持片４０の腕部４０ａ同士の間に侵入可能に形成されている。
【００４５】
フェライトコア１０は、図３に示すように、第一フェライトコア１０ａと、第二フェライトコア１０ｂとから構成されている。フェライトコア１０は、図３および図４に示すように、直方体状に形成されており、前記端子金具３ａ，３ｂ同士のそれぞれの針状端子部２９が貫通する貫通孔１１が設けられている。フェライトコア１０は、高周波ノイズを除去する所謂フェライトコアとされ、公知の金属酸化物の強磁性体から構成され、公知の製法によって製造されている。
【００４６】
第一フェライトコア１０ａが前記針状端子部２９の基端部側に設けられるとともに第二フェライトコア１０ｂが該針状端子部２９の中間部側に設けられて、前記第一フェライトコア１０ａと前記第二フェライトコア１０ｂとが前記針状端子部２９の長手方向に二段で設けられている。
【００４７】
貫通孔１１は、端子金具３ａの針状端子部２９の一本が挿通される貫通孔と、端子金具３ｂの針状端子２９の一本が挿通される貫通孔と、を備え、並んで開孔されて形成されている。
【００４８】
第一フェライトコア１０ａは、前記針状端子部２９の長手方向に対して平行する方向の寸法が厚肉の厚さＤ１に形成されている。第一フェライトコア１０ａは、複数個（図示例では、６個）使用される。
【００４９】
第二フェライトコア１０ｂは、前記針状端子部２９の長手方向に対して平行する方向の寸法が薄肉の厚さＤ２に形成されている。第二フェライトコア１０ｂは、前記第一フェライトコア１０ａの約半分程度の厚さに形成されている。第二フェライトコア１０ｂは、複数個（図示例では、６個）使用される。
【００５０】
本発明でいう、第一フェライトコア１０ａが厚肉の厚さＤ１に形成され、かつ、第二フェライトコア１０ｂが薄肉の厚さＤ２に形成されているとは、第一フェライトコア１０ａが第二フェライトコア１０ｂよりも相対的に厚肉に形成され、第二フェライトコア１０ｂが第一フェライトコア１０ａよりも相対的に薄肉に形成されていることをいう。即ち、相対的な厚さがＤ１＞Ｄ２とされている。
【００５１】
なお、第一フェライトコア１０ａと第二フェライトコア１０ｂとの厚さは、図示例に限定されるものではなく、ノイズ除去性能に応じて適宜変更しても良く、第一フェライトコア１０ａと第二フェライトコア１０ｂとを同じ厚さに形成しても良い。また、第一フェライトコア１０ａおよび第二フェライトコア１０ｂと異なる寸法のフェライトコアを用いても良い。
【００５２】
次に、上述の如く構成されたジョイントコネクタ１の組み立てについて、以下に説明する。
ジョイントコネクタ１を構成するアウタハウジング４と、第一インナハウジング６と、第二インナハウジング７と、端子金具３ａ，３ｂと、第一フェライトコア１０ａと、第二フェライトコア１０ｂとは、予めそれぞれ製造される。
【００５３】
図４に示すように、第一インナハウジング６内に端子金具３ａ，３ｂを嵌合して固定し、前記第一インナハウジング６の複数の第一フェライト収容室２１のそれぞれに第一フェライトコア１０ａを収容する。このとき、前記端子金具３ａ，３ｂ同士のそれぞれの針状端子部２９が前記第一フェライトコア１０ａの貫通孔１１を貫通する。
【００５４】
次いで、第一インナハウジング６上に第二インナハウジング７を配し、前記第二インナハウジング７の複数の挿通孔２４に前記端子金具３ａ，３ｂ同士のそれぞれの針状端子部２９を挿通し、複数の第二フェライト収容室３６のそれぞれに第二フェライトコア１０ｂを収容する。このとき、前記端子金具３ａ，３ｂ同士のそれぞれの針状端子部２９が前記第二フェライトコア１０ｂの貫通孔１１を貫通する。このとき、第一インナハウジング６と第二インナハウジング７とが積み重ねられた状態となる。
【００５５】
次いで、前記第一インナハウジング６と前記第二インナハウジング７とをアウタハウジング４のインナハウジング収容室３８内に押し込んで該インナハウジング収容室３８内に固定する。このとき、第一インナハウジング６の抱持片４０がアウタハウジング４の係止爪１４を乗り越えて該係止爪１４に係止し、前記端子金具３ａ，３ｂ同士のそれぞれの針状端子部２９がアウタハウジング４の挿通孔１８を挿通し、前記第一インナハウジング６と前記第二インナハウジング７とを前記アウタハウジング４内に固定する。このようにして、ジョイントコネクタ１を組み立てる。
【００５６】
上述の如く組み立てられたジョイントコネクタ１は、図５に示すように、複数本（図示例では、１２本）の電線６３と該電線６３の端末に設けられた汎用コネクタ６２（雄型コネクタ）とを備えたサブハーネス６１に接続される。このとき、汎用コネクタ６２の端子同士の間隔と、本発明のジョイントコネクタ１の端子金具３の針状端子部２９同士の間隔とが同じ間隔とされているため、汎用コネクタ６２がジョイントコネクタ１の嵌合部９に嵌合されて、両コネクタ１，６２の端子同士が電気的に接続される。
【００５７】
本実施形態によれば、ジョイントコネクタ１は、ノイズを除去するフェライトコア１０が設けられる端子金具３と、前記端子金具３が収容されるコネクタハウジング２と、を備えており、前記端子金具３は、バスバ２８と、前記バスバ２８の長手方向に対して略直交する方向に延長されて設けられているとともに該バスバ２８の前記長手方向に互いに間隔をあけて設けられている複数本の針状端子部２９と、を備え、前記コネクタハウジング２には、前記複数本の針状端子部２９のそれぞれに設けられる前記フェライトコア１０が収容可能に形成されたフェライト収容室２１，３６が設けられ、かつ、前記フェライト収容室２１，３６が、前記複数本の針状端子部２９のそれぞれに沿って複数段で設けられている。
【００５８】
このため、ジョイントコネクタ１は、針状端子部２９に複数段で設けられるフェライトコア１０が収容されるフェライト収容室２１，３６を、コネクタハウジング２に複数段で設けたため、複数段のフェライト収容室２１，３６のそれぞれにフェライトコア１０を収容することによって、容易にノイズ除去性能を向上することができる。
【００５９】
（第二の実施形態）
次に、本発明にかかるジョイントコネクタ１の第二の実施形態について、図６を参照して説明する。なお、前述した実施形態と同一部分には、同一の符号を付して説明を省略する。
【００６０】
ジョイントコネクタ１は、図６に示すように、第一フェライトコア１０ａが設けられた針状端子部２９Ａと、第二フェライトコア１０ｂが設けられた針状端子部２９Ｂと、第一フェライトコア１０ａと第二フェライトコア１０ｂとが設けられた針状端子部２９Ｃと、を備えている。
【００６１】
即ち、針状端子部２９Ａには第一フェライトコア１０ａが一段設けられ、針状端子部２９Ｂには第二フェライトコア１０ｂが一段設けられ、針状端子部２９Ｃには第一フェライトコア１０ａと第二フェライトコア１０ｂとが各々一段設けられてフェライトコア１０として二段設けられている。
【００６２】
第一フェライトコア１０ａは、前記針状端子部２９の長手方向に対して平行する方向の寸法が厚肉の厚さＤ１に形成されている。第二フェライトコア１０ｂは、前記針状端子部２９の長手方向に対して平行する方向の寸法が薄肉の厚さＤ２に形成されている。なお、第一フェライトコア１０ａの厚さＤ１と第二フェライトコア１０ｂの厚さＤ２とが、Ｄ１＜Ｄ２であっても良い。
【００６３】
このため、第二フェライトコア１０ｂが設けられた針状端子部２９Ａは軽度のノイズ除去性能を発揮し、第一フェライトコア１０ａが設けられた針状端子部２９Ｂは中度のノイズ除去性能を発揮し、第一フェライトコア１０ａと第二フェライトコア１０ｂとが設けられた針状端子部２９Ｃは強度のノイズ除去性能を発揮する。よって、三通りの組み合わせでノイズ除去性能を適宜変更することができる。
【００６４】
また、前述した三通りの組み合わせの他に、針状端子部２９に第一フェライトコア１０ａと第二フェライトコア１０ｂとが設けられていない組み合わせを形成することで、四通りの組み合わせとすることができる。このため、それぞれの針状端子部２９，２９Ａ，２９Ｂ，２９Ｃごとにノイズ除去性能を四通りの組み合わせで適宜変更することができる。
【００６５】
なお、フェライトコア１０ａとフェライトコア１０ｂとが同じ厚さに形成されている場合には、針状端子部２９にフェライトコア１０ａおよび第二フェライトコア１０ｂを設けない組み合わせと、針状端子部２９に第一フェライトコア１０ａまたは第二フェライトコア１０ｂを設けた組み合わせと、針状端子部２９に第一フェライトコア１０ａと第二フェライトコア１０ｂとを設けた組み合わせと、を形成することができる。このため、三通りの組み合わせによって、それぞれの針状端子部２９ごとにノイズ除去性能を三段階で適宜変更することができる。
【００６６】
本実施形態によれば、ジョイントコネクタ１は、前記複数本の針状端子部２９のそれぞれには、ノイズ除去性能に応じて、フェライトコア１０が一段または二段で設けられている。
【００６７】
このため、ジョイントコネクタ１は、ノイズ除去性能に応じてフェライトコア１０を一段または二段で複数本の針状端子部２９のそれぞれに設けたため、それぞれの針状端子部２９ごとにノイズ除去性能を適宜変更することができる。
【００６８】
また、本実施形態によれば、ジョイントコネクタ１は、前記コネクタハウジング２は、前記バスバ２８が嵌入されて固定される第一インナハウジング６と、前記複数本の針状端子部２９に挿通される第二インナハウジング７と、前記第一インナハウジング６と前記第二インナハウジング７とを収容するアウタハウジング４と、を備え、前記フェライトコア１０は、第一フェライトコア１０ａと、第二フェライトコア１０ｂと、を備え、前記第一インナハウジング６には、前記第一フェライトコア１０ａを収容可能に形成された第一フェライト収容室２１が設けられ、かつ、前記第二インナハウジング７には、前記第二フェライトコア１０ｂを収容可能に形成された第二フェライト収容室３６が設けられている。
【００６９】
このため、ジョイントコネクタ１は、第一インナハウジング６に端子金具３を固定するとともに第一フェライトコア１０ａを収容可能とし、第二インナハウジング７に第二フェライトコア１０ｂを収容可能とし、前記第一インナハウジング６と前記第二インナハウジング７とをアウタハウジング４に収容するため、ジョイントコネクタ１を構成する部材を変更することなく、第一フェライト収容室２１に第一フェライトコア１０ａを収容してフェライトコア１０を一段としたり、第二フェライト収容室３６に第二フェライトコア１０ｂを収容してフェライトコア１０を一段としたり、第一フェライト収容室２１に第一フェライトコア１０ａを収容するとともに第二フェライト収容室３６に第二フェライトコア１０ｂを収容してフェライトコア１０を二段としたりすることができる。よって、ジョイントコネクタ１の構成部材を変更することなく、針状端子部２９のノイズ除去性能を適宜変更することができる。
【００７０】
また、本実施形態によれば、ジョイントコネクタ１は、ノイズ除去性能に応じて複数の寸法に形成されたフェライトコア１０ａ，１０ｂをフェライト収容室２１，３６に収容することができるため、フェライトコア１０ａ，１０ｂの段数と寸法との組み合わせを形成することができる。このため、同一寸法で形成されたフェライトコアの段数のみの組み合わせで形成されるノイズ除去性能よりも、幅広いノイズ除去性能を発揮することができる。
【００７１】
また、ジョイントコネクタ１は、フェライト収容室２１，３６をコネクタハウジング２に複数段で設けたため、前記フェライト収容室２１，３６に設けられるフェライトコア１０ａ，１０ｂの個数を適宜変更することが可能となる。このため、複数本の針状端子部２９のそれぞれのノイズ除去性能を適宜変更することができる。
【００７２】
また、ジョイントコネクタ１は、前記フェライト収容室２１，３６に設けられるフェライトコア１０ａ，１０ｂの個数を適宜変更してノイズ除去性能を適宜変更することができるため、汎用品のフェライトコアを用いることができる。このため、ノイズ除去性能毎に多品種および少量生産の専用品のフェライトコアを使用していた従来のジョイントコネクタよりも安価とすることができる。
【００７３】
また、ジョイントコネクタ１は、フェライト収容室２１，３６をコネクタハウジング２に複数段で設けて、前記フェライト収容室２１，３６に設けられるフェライトコア１０ａ，１０ｂの個数を適宜変更可能としたため、ノイズ除去性能に応じて専用の固定具などが必要な従来のジョイントコネクタよりも安価とすることができる。
【００７４】
また、ジョイントコネクタ１は、フェライト収容室２１，３６をコネクタハウジング２に複数段で設けて、前記フェライト収容室２１，３６に設けられるフェライトコア１０ａ，１０ｂの個数を適宜変更可能としたため、組立工程を簡略化することができる。
【００７５】
また、ジョイントコネクタ１は、フェライト収容室２１，３６をフェライトコア１０ａ，１０ｂが収容可能に形成したため、ノイズ除去性能が不要な場合には、フェライトコア１０ａ，１０ｂをフェライト収容室２１，３６に収容しないという選択をすることができる。このため、ノイズ除去性能が不要な汎用品のジョイントコネクタとして用いることができる。
【００７６】
また、ジョイントコネクタ１は、ノイズ除去性能に応じてフェライトコア１０が一段または二段で設けられているとともに、ノイズ除去性能に応じて前記フェライトコア１０が複数の寸法に形成されているため、フェライトコア１０の段数と寸法との組み合わせによって、多数のノイズ除去性能の組み合わせを形成することができる。よって、ノイズ除去性能を最適なものに適宜変更することができる。
【００７７】
なお、前述した実施形態は本発明の代表的な形態を示したに過ぎず、本発明は、実施形態に限定されるものではない。即ち、本発明の骨子を逸脱しない範囲で種々変更して実施することができる。
【符号の説明】
【００７８】
１  ジョイントコネクタ
２  コネクタハウジング
３  端子金具
６  第一インナハウジング
７  第二インナハウジング
１０  フェライトコア
１０ａ  第一フェライトコア
１０ｂ  第二フェライトコア
２１  第一フェライト収容室（フェライト収容室）
２８  バスバ
２９  針状端子部
３６  第二フェライト収容室（フェライト収容室）
【図１】
2013025914.tif 000003
【図２】
2013025914.tif 000004
【図３】
2013025914.tif 000005
【図４】
2013025914.tif 000006
【図５】
2013025914.tif 000007
【図６】
2013025914.tif 000008